(57)【要約】【課題】  本発明は、画像情報を処理する画像情報処理装置、および、この画像情報処理装置を用いたデジタルカメラに関し、ファイル名またはタイトルを被写体と関連づけて自動的に設定することを目的とする。【解決手段】  被写体に関する識別情報および関連情報を記憶する記憶手段と、第１の画像情報の被写体と前記識別情報の被写体とを比較し同一性を判断する判断手段と、前記判断手段が前記第１の画像情報の被写体と前記識別情報の被写体とに同一性があると判断した時に、前記第１の画像情報を前記関連情報に基づいて前記被写体と関連づけられたファイル名またはタイトルで記録する記録手段とを有することを特徴とする。【選択図】      図４
2006086887.tif 000002
【特許請求の範囲】
【請求項１】
被写体に関する識別情報および関連情報を記憶する記憶手段と、
第１の画像情報の被写体と前記識別情報の被写体とを比較し同一性を判断する判断手段と、
前記判断手段が前記第１の画像情報の被写体と前記識別情報の被写体とに同一性があると判断した時に、前記第１の画像情報を前記関連情報に基づいて前記被写体と関連づけられたファイル名またはタイトルで記録する記録手段と、
を有することを特徴とする画像情報処理装置。
【請求項２】
請求項１記載の画像情報処理装置において、
前記識別情報は、被写体に関する第２の画像情報であることを特徴とする画像情報処理装置。
【請求項３】
請求項２記載の画像情報処理装置において、
前記第２の画像情報は人物に関する画像情報であり、前記関連情報は前記人物を表す名前であり、前記記録手段は、前記名前を前記ファイル名または前記タイトルに用いて記録することを特徴とする画像情報処理装置。
【請求項４】
請求項３記載の画像情報処理装置において、
前記記録手段は、前記ファイル名を名前と一連の番号を用いて表示することを特徴とする画像情報処理装置。
【請求項５】
請求項４記載の画像情報処理装置において、
前記記録手段は、前記名前毎に前記一連の番号を設定することを特徴とする画像情報処理装置。
【請求項６】
請求項１ないし請求項５のいずれか１項記載の画像情報処理装置を有することを特徴とするデジタルカメラ。
【発明の詳細な説明】
【技術分野】
【０００１】
本発明は、画像情報を処理する画像情報処理装置、および、この画像情報処理装置を用いたデジタルカメラに関する。
【背景技術】
【０００２】
一般に、デジタルカメラでは、撮影した画像データを保存する場合にはファイル名をつけて記録される。しかし、ファイル名は通常、固有のアルファベットと一連番号の組み合わせであるためファイル名を見ても何が撮影されているか判断することが困難である。
従って、例えば知人を撮影し、その画像データをパーソナルコンピュータ等を介して電子メール等で配信する場合に、その知人が写っているかどうか１枚１枚画像ファイルを開いて確認する必要があった。また、撮影者自身が画像ファイルを整理しておく際にも画像データの中身の確認は必要であるが、特に最近は大容量の記憶媒体が存在し、一度に記録できる画像ファイルの枚数も増えているため、その作業には更に手間がかかるようになっている。
【０００３】
従来、このような手間を省略するため、例えば特開２００２−３６９１０９号公報に開示されるように、撮影者がカメラに撮影時の状況を登録し、その登録された状況と撮影時のカメラの設定から撮影画像に適合したファイル名を付けて保存するデジタルカメラが開発されている。
【特許文献１】特開２００２−３６９１０９号公報
【発明の開示】
【発明が解決しようとする課題】
【０００４】
しかしながら、上述した公報のデジタルカメラでは、シーンの設定と文字テーブル情報の設定を撮影者自身が撮影の度毎に行なわなければならず、設定忘れや設定間違いがあった場合には、かえって画像ファイルの整理に混乱をきたす恐れがあった。
また、複数の人物を順番に撮影する場合、それぞれの名前をファイル名とするためには被写体が変わる度にカメラに設定した人物の名前を変更しなければならず、必ずしも利便性が高いものとはいえない。
【０００５】
本発明は、かかる従来の問題を解決するためになされたもので、ファイル名またはタイトルを被写体と関連づけて自動的に設定することができる画像情報処理装置およびデジタルカメラを提供することを目的とする。
【課題を解決するための手段】
【０００６】
請求項１の画像情報処理装置は、被写体に関する識別情報および関連情報を記憶する記憶手段と、第１の画像情報の被写体と前記識別情報の被写体とを比較し同一性を判断する判断手段と、前記判断手段が前記第１の画像情報の被写体と前記識別情報の被写体とに同一性があると判断した時に、前記第１の画像情報を前記関連情報に基づいて前記被写体と関連づけられたファイル名またはタイトルで記録する記録手段とを有することを特徴とする。
【０００７】
請求項２の画像情報処理装置は、請求項１記載の画像情報処理装置において、前記識別情報は、被写体に関する第２の画像情報であることを特徴とする。
請求項３の画像情報処理装置は、請求項２記載の画像情報処理装置において、前記第２の画像情報は人物に関する画像情報であり、前記関連情報は前記人物を表す名前であり、前記記録手段は、前記名前を前記ファイル名または前記タイトルに用いて記録することを特徴とする。
【０００８】
請求項４の画像情報処理装置は、請求項３記載の画像情報処理装置において、前記記録手段は、前記ファイル名を名前と一連の番号を用いて表示することを特徴とする。
請求項５の画像情報処理装置は、請求項４記載の画像情報処理装置において、前記記録手段は、前記名前毎に前記一連の番号を設定することを特徴とする。
請求項６のデジタルカメラは、請求項１ないし請求項５のいずれか１項記載の画像情報処理装置を有することを特徴とする。
【発明の効果】
【０００９】
本発明の画像情報処理装置およびデジタルカメラでは、第１の画像情報の被写体と識別情報の被写体とに同一性があると判断した時に、第１の画像情報を関連情報に基づいて被写体と関連づけられたファイル名またはタイトルで記録するようにしたので、ファイル名またはタイトルを被写体と関連づけて自動的に設定することができる。
【発明を実施するための最良の形態】
【００１０】
以下、本発明の実施形態を図面を用いて詳細に説明する。
(第１の実施形態)
図１は、本発明の画像情報処理装置の一実施形態を用いたデジタルカメラを示している。
このデジタルカメラ１１の正面には、被写体像を撮像素子(ＣＣＤ)１３に結像させるための撮影レンズ１５と、撮影者が被写体を視認するためのファインダー窓１７とが配置されている。撮像素子１３は、撮影レンズ１５によって結像された光学像を電気信号に変換する。
【００１１】
デジタルカメラ１１の上面には、撮影者が撮影を行うためのレリーズボタン１９と、撮影に関する表示を行う液晶パネル２１が配置されている。
デジタルカメラ１１の側面には、可搬性を有する記憶媒体として機能するメモリカード２３を挿入するための挿入口２５が設けられている。
図２は、図１のデジタルカメラ１１の機能を示すブロック図である。
【００１２】
ＣＰＵ２７には、撮像素子１３、撮像処理部２９、レリーズボタン１９、カードＩ／Ｆ３１、不揮発性メモリ３３、一時メモリ３５および被写体判別部３７が接続されている。
撮像処理部２９は、撮像素子１３から出力されたアナログ画像信号をＡ／Ｄ変換してデジタル信号に変換する。また、ホワイトバランス補正、補間処理、階調変換、圧縮等の撮像処理を行い、被写体に関する画像データを生成する。
【００１３】
カードＩ／Ｆ３１は、デジタルカメラ１１の挿入口２５に装填されたメモリカード２３との間で信号の受け渡しを行うインターフェースである。
ＣＰＵ２７は、上述した各部と有機的に結合し、デジタルカメラ１１を統括的に制御する。ＣＰＵ２７で実行されるデジタルカメラ１１の動作に必要なプログラムは、不揮発性メモリ３３に格納されており、処理途中におけるデータは一時メモリ３５に格納される。
【００１４】
この実施形態では、不揮発性メモリ３３には、図３の(ａ)に示すように、被写体に関する識別情報として、人物の画像情報Ｇが予め記憶されている。また、関連情報として、人物の画像情報Ｇに対応してその人物の名前が予め記憶されている。名前は人物の名字、あだ名等、その人物を識別できるものであれば良い。
そして、被写体判別部３７は、図３の(ｂ)に示すように、レリーズボタン１９の押圧により撮像素子１３に撮像された撮影画像Ｓの人物と、不揮発性メモリ３３に記憶されている人物の画像情報Ｇとを比較し、人物の同一性を判別する。同一性の判別は、輪郭、左右の瞳の位置、口の位置等、顔の中で特徴的な部位を抽出しそれらの大きさや距離を比較して行なう。従って、不揮発性メモリ３３に記憶される人物の画像情報Ｇは、全体的に緻密なものでなく特徴を抽出できるようなパターン情報でも良い。
【００１５】
図４は、上述したデジタルカメラ１１の動作を示すフローチャートである。
デジタルカメラ１１の電源を入れ、レリーズボタン１９を全押しすると、ピント合わせ動作および露出制御などの処理をして撮影が行われる。これにより、撮像素子１３で被写体の画像信号が生成され、その画像信号に対して撮像処理部２９で撮影処理を行う。そして、処理された画像データを撮影画像Ｓとして一時メモリ３５に記憶する(ステップＳ１)。
【００１６】
ステップＳ２では、デジタルカメラ１１の不揮発性メモリ３３に人物の画像情報Ｇが登録されているか否かを判断する。そして、画像情報Ｇが登録されていない時には、ステップＳ３においてファイル名を仮設定する。このステップＳ３の仮設定のファイル名は、デジタルカメラ１１に初期設定されたファイル名であり、この実施形態では、ファイル名に「画像ｎ．ｊｐｇ」が設定される。ここで、「画像」は画像であることを示す。「ｎ」は撮影画像Ｓに付与される３桁の番号である。「ｊｐｇ」は画像ファイルの特性を示す拡張子であり、ＪＰＥＧファイルを示している。
【００１７】
ステップＳ４では、撮影画像Ｓの人物が登録されている人物と一致するか否かを判断する。この判断は、被写体判別部３７において、一時メモリ３５に記憶されている撮影画像Ｓの人物と、不揮発性メモリ３３に登録されている画像情報Ｇの人物とを比較することにより行われる。比較は前述したように人物の輪郭、左右の瞳の位置、口の位置等、顔の中で特徴的な部位を抽出し、それらの大きさや距離を比較することにより行なう。不揮発性メモリ３３に複数の人物の画像情報Ｇが登録されている時には、一致する人物がみつかるまで、全ての人物に対して比較を行う。全ての人物を比較して一致しない時には、前述したステップＳ３においてファイル名を仮設定する。
【００１８】
一方、撮影画像Ｓの人物が登録されている人物と一致した時には、ステップＳ５においてファイル名を仮設定する。このステップＳ５の仮設定のファイル名には、「名前ｎ．ｊｐｇ」が設定される。ここで、「名前」は画像情報Ｇの人物に対応して不揮発性メモリ３３に記憶される人物の名前である。「ｎ」は撮影画像Ｓに付与される３桁の番号である。「ｊｐｇ」は画像ファイルの特性を示す拡張子である。例えば、画像情報Ｇの人物に対応して不揮発性メモリ３３に記憶される人物の名前が「ＡＯＫＩ」の時には、「ＡＯＫＩ００１．ｊｐｇ」のファイル名が仮設定される。また、「ＫＡＴＯ」の時には、「ＫＡＴＯ００１．ｊｐｇ」のファイル名が仮設定される。
【００１９】
ステップＳ６では、不揮発性メモリ３３内にステップＳ３またはステップＳ５で仮設定されたファイル名と同じファイル名が存在するか否かを判断する。この実施形態では、ステップＳ３で仮設定されたファイル名はファイル名の最初に「画像」が存在し、ステップＳ５で仮設定されたファイル名はファイル名の最初に「名前」が存在するため、当然に異なるものになる。また、ステップＳ５で仮設定されたファイル名の最初の名前が、例えば「ＡＯＫＩ」の場合と「ＫＡＴＯ」の場合にも異なるものになる。
【００２０】
ステップＳ７では、仮設定されたファイル名のうち番号ｎの部分について、番号を１つ追加する。ステップＳ６とステップＳ７の動作を、仮設定したファイル名と同じファイル名が不揮発性メモリ３３に存在しなくなるまで繰り返す。
この実施形態では、「画像」が存在するファイル名に対しては、「画像００１．ｊｐｇ」、「画像００２．ｊｐｇ」、「画像００３．ｊｐｇ」・・・のように一連の連番が設定される。また、「名前」が存在するファイル名に対しては、名前毎に一連の連番が設定される。すなわち、例えば「ＡＯＫＩ」と「ＫＡＴＯ」とが登録されている場合には、「ＡＯＫＩ」に対して「ＡＯＫＩ００１．ｊｐｇ」、「ＡＯＫＩ００２．ｊｐｇ」、「ＡＯＫＩ００３．ｊｐｇ」・・・のように一連の連番が設定され、「ＫＡＴＯ」に対して「ＫＡＴＯ００１．ｊｐｇ」、「ＫＡＴＯ００２．ｊｐｇ」、「ＫＡＴＯ００３．ｊｐｇ」・・・のように一連の連番が設定される。
【００２１】
ステップＳ８では、上述したように設定されたファイル名を不揮発性メモリ３３に追加して記憶する。
ステップＳ９では、一時メモリ３５内の撮影画像Ｓを、設定されたファイル名でメモリカード２３に記録する。これにより撮影が完了する。
上述したデジタルカメラ１１では、撮影画像Ｓの人物と画像情報Ｇの人物とに同一性があると判断した時に、画像情報Ｇに対応して記憶される名前を用いたファイル名で撮影画像Ｓを記録するようにしたので、ファイル名を撮影画像Ｓの人物の名前で自動的に設定することができる。従って、例えば、後にパーソナルコンピュータ等により画像ファイルを管理する際に、ファイル名だけで知人が写っていることが確認でき、一つずつ撮影画像Ｓを表示して内容を確認する手間が省け、管理が簡単になる。
(第２の実施形態)
図５は本発明のデジタルカメラ１１の第２の実施形態のフローチャートである。
【００２２】
なお、この実施形態において第１の実施形態と同一の要素には、同一の符号を付して詳細な説明を省略する。
この実施形態では、ステップＳ６において、不揮発性メモリ３３内にステップＳ３またはステップＳ５で仮設定されたファイル名の番号ｎと同じ番号ｎを有するファイル名が存在するか否かを判断する。すなわち、第１の実施形態では、ステップＳ６において不揮発性メモリ３３内にステップＳ３またはステップＳ５で仮設定されたファイル名と同じファイル名が存在するか否かを判断したが、この実施形態では、ステップＳ６においてファイル名の番号ｎのみが比較される。
【００２３】
従って、この実施形態では、ステップＳ３で仮設定された「画像」が存在するファイル名、ステップＳ５で仮設定された「名前」が存在するファイル名に関係なく、ファイル名のうち番号ｎの部分が撮影順に連番となる。
すなわち、例えば、「画像００１．ｊｐｇ」、「ＡＯＫＩ００２．ｊｐｇ」、「画像００３．ｊｐｇ」、「ＫＡＴＯ００４．ｊｐｇ」、「ＫＡＴＯ００５．ｊｐｇ」、「ＡＯＫＩ００６．ｊｐｇ」・・・のように撮影順のみにより一連の連番が設定される。
【００２４】
この実施形態においても第１の実施形態と略同様の効果を得ることができるが、この実施形態では、デジタルカメラ１１が撮影した撮影画像Ｓの数を容易に知ることができる。
(実施形態の補足事項)
以上、本発明を上述した実施形態によって説明してきたが、本発明の技術的範囲は上述した実施形態に限定されるものではなく、例えば、以下のような形態でも良い。
【００２５】
(１)登録される画像情報Ｇに同じ名前の人物がいる場合には、名前の頭に連番をつけて識別するようにしても良い。例えば「ＫＡＴＯ」という人物が二人登録された場合には、先に登録された人には「１ＫＡＴＯ００１．ｊｐｇ」、次に登録された人には「２ＫＡＴＯ００２．ｊｐｇ」というファイル名をつけて識別することが可能である。
(２)撮影画像Ｓに複数の人物が存在する場合には、特定の人物を選択し、その選択された人物の名前をファイル名の名前にし、また、複数の人物が存在することを示す記号、例えば「！」をファイル名につけるようにしても良い。例えば「ＡＯＫＩ」という人物が選択された場合には、「ＡＯＫＩ！００１．ｊｐｇ」というファイル名になる。特定の人物の選択は、撮影画像Ｓに占める面積の最も大きい人物を選択する、画像情報Ｇの登録が先の人物を選択する、撮影画像Ｓの中心にいる人物を選択する等の方法により可能である。
【００２６】
(３)上述した実施形態では、不揮発性メモリ３３に画像情報Ｇを記憶させた例について説明したが、例えば、メモリカード２３に画像情報Ｇを記憶させ、デジタルカメラ１１の電源のオン時に不揮発性メモリ３３にダウンロードするようにしても良い。これにより不揮発性メモリ３３の記憶容量を低減することができる。
(４)上述した実施形態では、全てのファイル名を不揮発性メモリ３３に記憶した例について説明したが、最後に撮影された撮影画像Ｓの番号ｎのみを記憶するようにしても良い。これにより不揮発性メモリ３３の記憶容量を低減することができる。
【００２７】
(５)上述した実施形態では、ファイル名を名前と関連づけて記録した例について説明したが、撮影画像Ｓのヘッダー情報のタイトルを名前と関連づけて記録するようにしても良い。また、ファイル名およびタイトルの両者を名前と関連づけて記録するようにしても良い。
(６)上述した実施形態では、被写体に関する識別情報を人物にした例について説明したが、例えば、花(桜)、動物(犬)等にしても良い。
【００２８】
(７)上述した実施形態では、被写体に関する関連情報を人物の名前にした例について説明したが、例えば、地名、会社名等にしても良い。
(８)上述した実施形態では、撮影画像Ｓの人物を画像情報Ｇの人物と比較して特定した例について説明したが、例えば、撮影画像Ｓの人物が身につけている名札、バーコード、ＱＲコード等により特定するようにしても良い。
【００２９】
(９)撮影画像Ｓは静止画に限られることなく動画にも適用することができる。
(１０)上述した実施形態では、本発明の画像情報処理装置をデジタルカメラ１１に適用した例について説明したが、スキャナー，パーソナルコンピュータ等に広く適用することができる。
【図面の簡単な説明】
【００３０】
【図１】本発明のデジタルカメラの第１の実施形態を示す説明図である。
【図２】図１のデジタルカメラの機能を示すブロック図である。
【図３】撮影画像と画像情報との関係を示す説明図である。
【図４】図１のデジタルカメラの動作を示すフローチャートである。
【図５】本発明のデジタルカメラの第２の実施形態を示すフローチャートである。
【符号の説明】
【００３１】
１１  デジタルカメラ
１３  撮像素子
１９  レリーズボタン
２３  メモリカード
２７  ＣＰＵ
２９  撮像処理部
３３  不揮発性メモリ
３５  一時メモリ
３７  被写体判別部
Ｇ  画像情報
Ｓ  撮影画像
【図１】
2006086887.tif 000003
【図２】
2006086887.tif 000004
【図３】
2006086887.tif 000005
【図４】
2006086887.tif 000006
【図５】
2006086887.tif 000007